(57)【要約】  水域内の流れからエネルギーを生成する浮遊型プラントを係留するためのシステムであって、水域内に浮遊する、エネルギー生成用の少なくとも１つの発電機７を有するプラント１０と、第１の端部でプラント１０の第１の端部に接続される少なくとも１つの細長い第１の係留要素２４とを有する係留システムが提供される。第１の係留要素２４はその第２の端部において、水域内を浮遊する、水域の下で水底Ｂに固定された１つの浮揚性要素５０に取り付けられ、第１の係留要素２４の第２の端部は、水域内のあるレベルｄにおいて浮揚性要素５０に接続され、このレベルｄは、第１の係留要素２４の第１の端部が浮遊型プラント１０に接続される水域内のレベルに対応しており、それによって第１の係留要素２４は、水域内で水平に又はほとんど水平に延びる。
2011525877.tif 000002
【特許請求の範囲】
【請求項１】
水域内の流れからエネルギーを生成する浮遊型プラントを係留するためのシステムであって、水域内に浮遊し、且つエネルギー生成用の少なくとも１つの発電機（７）を有するプラント（１０）と、第１の端部で前記プラント（１０）の一端に取り付けられる少なくとも１つの細長い第１の係留要素（２４）とを有する係留システムにおいて、
前記第１の係留要素（２４）がその第２の端部において、水域内を浮遊する１つの浮揚性要素（５０）に取り付けられ、該浮揚性要素（５０）が水域の下の底（Ｂ）に固定されること、および
前記第１の係留要素（２４）の前記第２の端部が、水域内のあるレベル（ｄ）において前記浮揚性要素（５０）に取り付けられ、該レベル（ｄ）は、前記第１の係留要素（２４）の前記第１の端部が前記浮遊プラント（１０）に取り付けられる水域内のレベルに対応しており、それによって前記第１の係留要素（２４）が水域内で水平に又はほとんど水平に延びることを特徴とする係留システム。
【請求項２】
前記浮揚性要素（５０）が、少なくとも１つの第２の細長い係留要素（６）によって前記底（Ｂ）に係留されることを特徴とする請求項１に記載のシステム。
【請求項３】
前記第１の係留要素（２４）前記の第２の端部が第１の懸垂手段（９）によって前記浮揚性要素（５０）に取り付けられ、前記第２の細長い係留要素（６）が少なくとも１つの第２の懸垂手段（８）によって前記浮揚性要素（５０）に取り付けられ、また前記第１の係留要素（２４）の前記第２の端部が、前記第１の懸垂手段（９）と前記第２の懸垂手段（８）の間の細長い中間部（６ａ）によって前記第２の細長い係留要素（６）に接続されることを特徴とする請求項２に記載のシステム。
【請求項４】
前記プラント（１０）はバラストを装備可能であり、また前記第１の懸垂手段（９）及び第２の懸垂手段（８）の長さは、前記第１の係留要素（２４）が水面（Ｓ）からある距離のところで水域内を水平に又はほぼ水平に延びるように調節可能であることを特徴とする請求項２又は請求項３に記載のシステム。
【請求項５】
前記浮揚性要素（５０）は細長い形状であり、且つ該浮揚性要素の各端部に前記第１の懸垂手段（９）及び前記第２の懸垂手段（８）のための取り付け部（２，３）を有していることを特徴とする請求項２又は請求項４に記載のシステム。
【請求項６】
水域内での前記浮揚性要素の浮力が、前記第２の細長い係留要素（６）を介して前記底（Ｂ）から前記浮揚性要素の各端部に伝えられる本質的にすべての垂直荷重成分を受け持っており、それによって前記第１の係留要素（２４）は、前記プラント（１０）が水域内に設置されたときに該プラントに対して本質的に水平な引張り荷重のみを及ぼすことを特徴とする請求項１から請求項５までのいずれか一項に記載のシステム。
【請求項７】
前記プラント（１０）は水域に沈むように適合されており、また該プラントが生産状態にあるときに前記水面（Ｓ）の上に突出する突出部（１２）を有していることを特徴とする請求項１から請求項６までのいずれか一項に記載のシステム。
【請求項８】
１つの細長い第１の係留要素（２４）が前記プラント（１０）の第１の端部に取り付けられ、他の細長い第１の係留要素（２４）が前記プラント（１０）の第２の、好適には反対側の端部に取り付けられることを特徴とする請求項１から請求項７までのいずれか一項に記載のシステム。
【請求項９】
前記第１の細長い係留要素（２４）及び前記第２の細長い係留要素（６）が、チェーン、索、ワイヤ、ケーブル、又はロープ、若しくはそれらの組み合わせを含むことを特徴とする請求項１から請求項８までのいずれか一項に記載のシステム。
【請求項１０】
前記第１の細長い係留要素（２４）が、合成繊維のロープ、又は他の重量中立的な材料でできた索を含むことを特徴とする請求項１から請求項９までのいずれか一項に記載のシステム。
【発明の詳細な説明】
【技術分野】
【０００１】
本発明は、水域内の流れからエネルギーを生成する浮遊型プラントを係留するためのシステムであって、水域内に浮遊し、エネルギー生成用の少なくとも１つの発電機を有するプラントと、第１の端部でプラントの第１の端部に接続された少なくとも１つの細長い第１の係留要素とを有する係留システムに関する。本発明は、水流、とりわけ海洋、湖、河川又は他の水域の水面下の流れからエネルギーを生成するためプラントの係留に関して特に有用である。そうした流れは、例えば海流、潮の変化及び／又は水底の地形（例えば海峡、川床、若しくは他の水中の狭い流路）によって生じ得る。
【背景技術】
【０００２】
米国特許第３７２６２４７号は、浮遊する容器の係留システムを教示し、米国特許第７３０７３５６Ｂ２号、ＷＯ２００６／０６１６５２Ａ１及びＷＯ２００５／０６１８８６Ａ１は、水流からエネルギーを生成するための異なるプラントを教示している。
【０００３】
ＷＯ８８／０４３６２は、水面に浮遊し、係留ビット５及び係留索２によって海底のアンカーに係留されるリング状ポンツーン３からなる浮遊型水流発電装置について記載している。タービンが、リング状ポンツーンより下の共通の梁にぶら下がるように配置され、１つのユニットとして、リング状ポンツーンによって画定される領域内で揺動して水面まで達することができる。発電装置は係留ビットのまわりを回転することが可能であり、その上端は前方のポンツーン９に接続され、その下端はアンカーに固定される。
【０００４】
ＧＢ２２５６０１１は、それ自体の浮力によって水面下で浮遊し、ストラット５によって係留ケーブル６に取り付けられる浮遊型プラントを教示している。ストラットは、発電機のハウジングに固定して又は回転可能に留めることができ、その他端では、海底のアンカー７に固定された係留ケーブル６に留められる。一実施例において、ケーブル６の他端は水面上のブイ１に留められる。
【０００５】
周知のプラントは主に、外洋よりも風及び波の力が弱い沿岸海域に配置する目的で設計されている。しかしながら、エネルギー・プラントを沖合又は他の厳しい環境に配置することには、かなりのエネルギー回収ポテンシャルがある。したがって、これまでに知られているプラントよりも大きい環境の力に耐えることができる、水流からエネルギーを生成するためのプラントが求められている。
【先行技術文献】
【特許文献】
【０００６】
【特許文献１】米国特許第３７２６２４７号
【特許文献２】米国特許第７３０７３５６Ｂ２号
【特許文献３】ＷＯ２００６／０６１６５２Ａ１
【特許文献４】ＷＯ２００５／０６１８８６Ａ１
【特許文献５】ＷＯ８８／０４３６２
【特許文献６】ＧＢ２２５６０１１
【発明の概要】
【発明が解決しようとする課題】
【０００７】
しかしながら、沖合に設置されるプラントは、波及び風によって加えられる大きい動荷重を受ける。沖合に設置するための前述のプラントでは、浮揚性要素の水面より上にある部分は、特にプラントの横軸のまわりでプラント全体を比較的強く動かし得るような波荷重及び風荷重を受ける可能性がある。このことは構造上の課題をもたらし、またタービンの効率に有害な影響を及ぼす。したがって、かなりの環境の力によってもより影響を受けにくいプラント及び係留装置が求められている。
【課題を解決するための手段】
【０００８】
したがって本発明によれば、水域内の流れからエネルギーを生成する浮遊型プラントを係留するためのシステムであって、エネルギー生成用の少なくとも１つの発電機を有する、水域内に浮遊するプラントと、第１の端部でプラントの一端に取り付けられた少なくとも１つの細長い第１の係留要素とを有する係留システムにおいて、第１の係留要素がその第２の端部において、水域内を浮遊する１つの浮揚性要素であって、水域の下の水底に固定された浮揚性要素に取り付けられ、第１の係留要素の第２の端部が、水域内のあるレベルにおいて浮揚性要素に取り付けられ、このレベルは、第１の係留要素の第１の端部が浮遊型プラントに取り付けられる水域内のレベルに対応しており、それによって第１の係留要素が、水域内で水平に又はほとんど水平に延びていることを特徴とするシステムが提供される。
【０００９】
浮揚性要素は、少なくとも１つの第２の細長い係留要素によって水底に固定される。一実施例では、第１の係留要素の第２の端部は、第１の懸垂手段によって浮揚性要素に取り付けられ、第２の細長い係留要素は、少なくとも１つの第２の懸垂手段によって浮揚性要素に取り付けられ、同時に第１の係留要素の第２の端部は、第１の懸垂手段と第２の懸垂手段の間の細長い中間部によって第２の細長い係留要素に接続される。プラントは、バラスト可能であることが好ましく、第１の懸垂手段及び第２の懸垂手段の長さは、第１の係留要素が水域内の水面からある距離のところで、水平に又はほとんど水平に延びるように調節することができる。
【００１０】
一実施例では、浮揚性要素は細長い形状を有し、浮揚性要素の各端部に第１及び第２の懸垂手段用の取り付け部を有している。水域内での浮揚性要素の浮力は、水底から第２の細長い係留要素を介して浮揚性要素の各端部に伝えられる本質的にすべての垂直方向の荷重成分を吸収し、それによって第１の係留要素は、プラントが水域内に設置されたとき、プラントに対して本質的に水平方向の引張り荷重のみを及ぼす。
【００１１】
一実施例では、プラントは水域に沈むように適合され、プラントが生産状態にあるとき、水面より上に突出する突出部を有している。
【００１２】
一実施例では、１つの細長い第１の係留要素がプラントの第１の端部に取り付けられ、他の細長い第１の係留要素が別の、好ましくはプラントの反対側の端部に取り付けられる。
【００１３】
第１の細長い係留要素及び第２の細長い係留要素は、チェーン、索、ワイヤ、ケーブル若しくはロープ、又はそれらの組み合わせを含む。第１の細長い係留要素は、合成繊維のロープ又は他の重量中立的な（ｗｅｉｇｈｔ−ｎｅｕｔｒａｌ）材料でできた索を含むことが好ましい。
【００１４】
本発明の実施例は、添付した特許請求の範囲、及び添付図面に関する以下の説明において示される。図面は、典型的且つ例示的な実施例の基本的な説明を示すものにすぎず、本発明を限定するものと解釈すべきでないことが理解されるであろう。図面では同様の部品を同様の参照番号によって示し、その参照番号は以下においても使用される。
【図面の簡単な説明】
【００１５】
【図１】本発明によるシステムの第１の実施例の概略図である。
【図２】本発明によるシステムの第２の実施例の概略図である。
【図３】上から見た、本発明によるシステムの第２の実施例の概略図である。
【図４】側面から見た、本発明によるシステムの第２の実施例の概略図である。
【図５】上から見た、本発明によるシステムの第３の実施例の概略図である。
【図６Ａ】前方から見た、本発明によるシステムにおける浮揚性要素の実施例の概略図である。
【図６Ｂ】側面から見た、浮揚性要素に対する取り付け部の実施例の概略図である。
【図７】浮遊型プラントの実施例の斜視図である。
【発明を実施するための形態】
【００１６】
図２は、基本的な形の本発明によるシステムを示している。浮遊型プラント１０は、部分的に水域に沈んだ位置において示され、水流Ｃからエネルギーを生成するための発電機ユニット７を有している。プラント上のタワー構造体１２が、水面Ｓより上に突出している。プラントは水中にあるとき、プラントに留められたアンカー・チェーン（及び／又は索、ワイヤ、ケーブル若しくはロープなどの組み合わせであり、以下では係留索と呼ぶ）によって海底Ｂに係留される。係留索として、チェーン、スチール製ワイヤ及び合成繊維のロープの組み合わせを用いることができる。係留索２４は、合成繊維のロープ又は他の重量中立的な材料でできた索であることが好ましく、プラント１０の一端、より正確にはプラントの上流側に留められる。図７は、プラント１０に取り付けられた係留索２４の第１の端部を示している。プラント１０に対する係留索２４の取り付け、動作及び係止に関するさらに詳細な記述は、当業者にはそうした細部が理解されるため省略した。同様に、電力送出及びプラント制御のためのケーブルの取り付けも、当業者には用いられる解決策が周知であるため省略した。
【００１７】
プラント１０がバラスト・タンク（図示せず）を収容し、こうしたタンクでのバラストの積み卸しによって、プラントの上昇、下降及び位置決めを制御できるようにすることが好ましい。
【００１８】
係留索２４はその第１の端部において、浮遊型プラント１０の一端に取り付けられる。図２は、係留索２４の第２の端部が、水面Ｓに浮遊するブイ５０などの浮揚性要素にどのように取り付けられるかを示している。ブイは、下方の係留索６、好ましくはアンカー２９に接続されたチェーンによって海底Ｂに係留される。この実施例において、プラント１０のブイ５０への接続は、第１の懸垂索９に接続された係留索２４の第２の端部によって行われ、第１の懸垂索９はブイ５０に接続される。この実施例において、ブイ５０を海底の係留設備２９に固定する下方の係留索６は、第２の懸垂索８を介してブイ５０に取り付けられる。懸垂索８、９は、スチール製ワイヤを含むことが好ましく、またブイ５０のそれぞれの端部に留められることが好ましい。中間部６ａは、係留索２４を下方の係留索６に結合する。
【００１９】
図１は、海底のそれぞれのアンカー２９に接続された２つの下方の係留索６を備える、本発明の変形例を示している。下方の係留索６は、それぞれの懸垂索８を介してブイ５０に、それぞれの中間部６ａを介して係留索２４に取り付けられる。図１の変形例における係留索２４への接続は、交点５で結合されるそれぞれの中間部６ａによるものである。
【００２０】
図３は、図１及び２に示す実施例の組み合わせを上から見た概略図として示しており、破線は、下方の係留索６の数及び角度をどのように変えることができるかを表している。示されたものより多数の下方の係留索６を、システムの長手方向の軸線に対して示したものとは異なる他の角度でブイ５０に取り付けることが可能であることが、当業者には理解されるであろう。
【００２１】
図４は、発電機７を用いてエネルギーを生成するために、プラント１０が部分的に水域に沈められて流れＣに曝された状態における本発明によるシステムを、側面から示す概略図として示している。その図から、係留索２４の浮遊型プラント１０への取り付け点が、水面Ｓより下のあるレベルであって、係留索２４のブイへの取り付け点に対応するレベルにあるために、係留索２４が水中で水平であることを理解することができる。ブイへの取り付け点は、交点５及び懸垂索８によるものである。懸垂索８、９の長さは、（例えばバラストを積むことによって調節される）プラントの喫水に対応するように調節することができる。係留索２４と水面Ｓの間の垂直方向の距離は、図４では記号「ｄ」によって示されている。こうして、係留索２４の第２の端部は、係留索の第１の端部が本体１０に接続される水面Ｓより下のレベルに本質的に対応する水面Ｓより下のあるレベルにおいて、懸垂索を介してブイに接続される。
【００２２】
さらに図３及び４を参照すると、（発電機によって生成される）生産荷重は非常に大きく、プラント１０を流れＣの方向に動かそうとする。そうした動きは、係留索２４、及び水底に固定された下方の係留索６への中間部６ａ（図３には示さず）を介したその接続によって阻止される。下方の係留索６における垂直方向の荷重成分は、懸垂索９を介してブイ５０に伝えられ、その結果、係留索２４を通して浮遊型プラント１０に伝えられる荷重は水平になる。したがって本発明によるシステムでは、係留された物体、すなわちプラント１０に対する水平方向の荷重のみが得られる。下方の係留索が水底に係留されるために生成される垂直方向の荷重成分は、自由に浮遊する要素、すなわちブイ５０によって吸収される。
【００２３】
ブイ５０が水面Ｓより下に沈んだ状態になるほど索における荷重が大きくなった場合には、下方の係留索と浮遊型プラントの間の角度が低減される。したがって浮力の必要性も低減され（換言すれば、垂直方向の成分がブイによって吸収され）、本発明によるシステムは、自動的に許容可能な変化の範囲内に安定化される。もちろんブイ５０の体積は、係留システムにおける最大荷重に適合させなければならない。
【００２４】
図５は、プラント１０が２つの係留索２４を備えた本発明の変形例を示しており、１つの係留索２４がプラント１０の各端部にあり、それぞれのブイ５０に接続される。プラント１０のそれぞれの側の係留装置は同一であり、さらに前述したようなものである。図５に示す変形例の利点は、例えば潮流など、流れの方向が変化する水域に配置できることである。
【００２５】
図６Ａは一端から見たブイ５０の変形例を示しており、そのブイ５０が、それぞれ懸垂索９及び８（図１参照）に対する取り付け用の突起２、３をどのように備えているかを図示している。図６Ｂは、側面から見た図６Ａに示す変形例を図示しており、ブイ５０が長尺体の形であることを理解することができる。懸垂索８、９の取り付け部を他の方法で構成することが可能であること、及び懸垂索８、９をブイ５０のそれぞれの端部に留めると有利であることが、当業者には理解されるであろう。
【００２６】
河川におけるプラントでは、１つのブイを備えた本発明（例えば図１及び２）で十分であるが、潮流又は流れの方向が定期的に変化する他の水域では、２つのブイを有する変形例（図５）が適当である。水底のアンカー２９を水底Ｂ上の旋回係留要素で置き換え、プラントがそのまわりを回転することが可能であり、また係留索６、６ａ及び２４には常に張力が存在し、それによってプラントが常にブイ５０の下流にあるようした場合には、ただ１つのブイを有する本発明の実施例を外洋で使用することも可能である。
【００２７】
係留索及び懸垂索の長さが異なっていてもよいこと、並びに索の長さを、係留される実際の浮遊体に適合させなければならないことが、当業者には理解されるであろう。それは、例えば懸垂索の長さを数メートル（ｄ＞＞０）とすることができ、また例えば水面内又は水面（ｄ〜０）で係留索２４が本体１０に固定されるケースでは、懸垂索は不要になると言えることを意味している。後で言及したケースでは、係留索２４の第２の端部をブイ５０に接続することが可能である。
【００２８】
本発明による係留システムでは、係留索２４が水中でできるだけ水平に延びることが保証される。こうして浮遊体、例えばプラント１０は本質的に水平な引張り荷重を受け、プラントは水中でできるだけ水平な状態にとどまる。したがって、従来型の係留装置を用いるときには普通に存在する、垂直方向の荷重成分が回避される。これは、荒れた海であっても、水中でプラントがわずかに縦揺れするだけであることを保証する助けとなる。
【００２９】
提案されるブイの係留システムの主要な観点は、プラントが動作状態（例えば、約１６０〜１８０トンの静的な生産荷重／抗力＋動的加算）にあるとき、プラントを適所に保持するアンカー索が、プラント１０に対して本質的に垂直方向の荷重成分を与えないことである。例えば、下方の係留索６と海底の間の角度が約２０度、係留索の全長が約１５０メートルである場合、係留索２４に対する約２００トンの張力によって、ブイには約７０トンの浮力が必要になる。例えばブイ５０を、水面Ｓに浮かび上がるときに浮力が７０トンになるような寸法に作製することができる。さらに、例えばブイが水面Ｓより３メートル下になっても、ブイが常にほぼ同じ浮力を有することに留意することが重要である。しかしながら、力が増大して推定された最大値より高くなるためにこれが生じた場合には、内側へプラントに向かい、下方へ水底Ｂに向かう係留索の間の角度は、おそらく約１６度まで低減される。したがって、ブイにおける浮力の必要性も、約６０トンまで軽減される。プラントとブイの間の距離を約１００メートルと仮定すると、内側へプラントに向かう角度がわずかに約１．２５度だけ変えられる。したがって、ブイにおける浮力の要件が角度の減少に伴って軽減されるため、このシステムはユニークである。
【図１】
2011525877.tif 000003
【図２】
2011525877.tif 000004
【図３】
2011525877.tif 000005
【図４】
2011525877.tif 000006
【図５】
2011525877.tif 000007
【図６Ａ】
2011525877.tif 000008
【図６Ｂ】
2011525877.tif 000009
【図７】
2011525877.tif 000010
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
水域内の流れからエネルギーを生成する浮遊型プラントを係留するためのシステムであって、前記水域内に浮遊し、且つエネルギー生成用の少なくとも１つの発電機（７）を有するバラスト装備可能なプラント（１０）と、第１の端部で前記プラント（１０）の一端に取り付けられる少なくとも１つの細長い第１の係留要素（２４）とを有し、該第１の係留要素（２４）は、その第２の端部において前記水域内を浮遊している浮揚性要素（５０）に取り付けられ、該浮揚性要素（５０）は、前記水域の下の底（Ｂ）に少なくとも１つの第２の細長い係留要素（６）によって係留される係留システムにおいて、
前記第１の係留要素（２４）の前記第２の端部が調整可能な第１の懸垂手段（９）によって前記浮揚性要素（５０）に取り付けられており、
前記第２の細長い係留要素（６）が少なくとも１つの調整可能な第２の懸垂手段（８）によって前記浮揚性要素（５０）に取り付けられており、また
前記第１の係留要素（２４）の前記第２の端部が、前記第１の懸垂手段（９）と前記第２の懸垂手段（８）の間の細長い中間部（６ａ）によって前記第２の細長い係留要素（６）にも接続されており、前記プラント（１０）はであり、前記第１及び第２の懸垂手段（９，８）は、前記プラントの喫水に対応するように調整可能であり、前記第１の係留要素（２４）の前記第２の端部は、前記水域内のあるレベル（ｄ）において前記浮揚性要素（５０）に取り付けられ、該レベル（ｄ）は、前記第１の係留要素（２４）の前記第１の端部が前記浮遊プラント（１０）に取り付けられる前記水域内のレベルに対応しており、それによって前記第１の係留要素（２４）が前記水域内で水平に又はほぼ水平に延びていることを特徴とする係留システム。
【請求項２】
前記第１の係留要素（２４）、中間部（６ａ）及び前記第２の係留要素（６）が連続的な細長い係留要素を形成することを特徴とする請求項１に記載のシステム。
【請求項３】
前記浮揚性要素（５０）は細長い形状であり、且つ該浮揚性要素の各端部に前記第１の懸垂手段（９）及び前記第２の懸垂手段（８）のための取り付け部（２，３）を有していることを特徴とする請求項１又は請求項２に記載のシステム。
【請求項４】
水域内での前記浮揚性要素の浮力が、前記第２の細長い係留要素（６）を介して前記底（Ｂ）から前記浮揚性要素の各端部に伝えられる本質的にすべての垂直荷重成分を受け持っており、それによって前記第１の係留要素（２４）は、前記プラント（１０）が水域内に設置されたときに該プラントに対して本質的に水平な引張り荷重のみを及ぼすことを特徴とする請求項１から請求項３までのいずれか一項に記載のシステム。
【請求項５】
前記プラント（１０）は水域に沈むように適合されており、また該プラントが生産状態にあるときに前記水面（Ｓ）の上に突出する突出部（１２）を有していることを特徴とする請求項１から請求項４までのいずれか一項に記載のシステム。
【請求項６】
１つの細長い第１の係留要素（２４）が前記プラント（１０）の第１の端部に取り付けられ、他の細長い第１の係留要素（２４）が前記プラント（１０）の第２の、好適には反対側の端部に取り付けられることを特徴とする請求項１から請求項５までのいずれか一項に記載のシステム。
【請求項７】
前記第１の細長い係留要素（２４）及び前記第２の細長い係留要素（６）が、チェーン、索、ワイヤ、ケーブル、又はロープ、若しくはそれらの組み合わせを含むことを特徴とする請求項１から請求項６までのいずれか一項に記載のシステム。
【請求項８】
前記第１の細長い係留要素（２４）が、合成繊維のロープ、又は他の重量中立的な材料でできた索を含むことを特徴とする請求項１から請求項７までのいずれか一項に記載のシステム。
【国際調査報告】
2011525877.tif 000011
2011525877.tif 000012
2011525877.tif 000013
2011525877.tif 000014